(57)【要約】【課題】確実にファクシミリ受信手順を継続する。【解決手段】ファクシミリ装置２０は、相手先のファクシミリ装置から画像データをファクシミリ受信するＮＣＵ１１及びファックスモデム１０を備える。主制御部１は、ファクシミリ受信された画像データ中にエラーラインを検出したとき又はキャリア信号が所定時間以上中断したことを検出したとき、ＦＳＫ信号の周波数成分を検出したか否かを判断し、ＦＳＫ信号の周波数成分を検出した場合に、画像データのポストメッセージを受信するように制御する。ここで、主制御部１は、ファクシミリ受信された画像データ中にエラーラインを検出せずかつキャリア信号が所定時間以上中断したことを検出しないとき、ＦＳＫ信号の周波数成分の検出を中止するように制御する。【選択図】図１
2007300336.tif 000002
【特許請求の範囲】
【請求項１】
相手先の通信端末装置から画像データをファクシミリ受信する受信手段と、
前記ファクシミリ受信された画像データ中にエラーラインを検出したとき又はキャリア信号が所定時間以上中断したことを検出したとき、ファクシミリ手順信号の所定の周波数成分を検出したか否かを判断し、当該所定の周波数成分を検出した場合に、画像データのポストメッセージを受信するように制御する制御手段を備えたことを特徴とする通信端末装置。
【請求項２】
前記制御手段は、前記ファクシミリ受信された画像データ中にエラーラインを検出せずかつキャリア信号が所定時間以上中断したことを検出しないとき、前記所定の周波数成分の検出を中止するように制御することを特徴とする請求項１記載の通信端末装置。
【請求項３】
前記制御手段は、前記画像データの各ページの最後を示す信号を受信した場合には、前記所定の周波数成分の検出を中止するように制御することを特徴とする請求項１又は２記載の通信端末装置。
【発明の詳細な説明】
【技術分野】
【０００１】
本発明は、例えば、ファクシミリ装置等の通信端末装置に関する。
【背景技術】
【０００２】
特許文献１に、ＥＣＭ通信による画像データの伝送時において、高速モデムモードによる画像データの伝送途中に雑音の混入などによって同期が外れた場合であっても、ＦＳＫモードによって正常な伝送シーケンスに復帰できるようにする従来例の画像データの伝送処理方法が開示されている。特許文献１の画像データの伝送処理方法において、複数フレームで成るブロック毎の画像データを高速モデムモードによって受信している途中に、フレームに含まれる同期フラグの受信不能によって同期が外れたときには、強制的にＦＳＫモードに切り替えて受信待機し、この後、送信側より１ブロックの画像データの最後にＦＳＫモードによって伝送される送信確認要求信号を受信したときには、送信側に対して再送要求信号を送出して正しく受信できなかったフレームの再送を要求する。
【０００３】
【特許文献１】特開平４−３４５３６４号公報。
【発明の開示】
【発明が解決しようとする課題】
【０００４】
しかしながら、上記従来例の画像データの伝送処理方法においては、確実にファクシミリ受信手順を継続することができない、という問題点があった。
【０００５】
本発明の目的は以上の問題点を解決し、確実にファクシミリ受信手順を継続するファクシミリ装置等の通信端末装置を提供することにある。
【課題を解決するための手段】
【０００６】
第１の発明に係るファクシミリ装置は、相手先の通信端末装置から画像データをファクシミリ受信する受信手段と、前記ファクシミリ受信された画像データ中にエラーラインを検出したとき又はキャリア信号が所定時間以上中断したことを検出したとき、ファクシミリ手順信号の所定の周波数成分を検出したか否かを判断し、当該所定の周波数成分を検出した場合に、画像データのポストメッセージを受信するように制御する制御手段を備えたことを特徴とする。
【０００７】
また、上記通信端末装置において、前記制御手段は、前記ファクシミリ受信された画像データ中にエラーラインを検出せずかつキャリア信号が所定時間以上中断したことを検出しないとき、前記所定の周波数成分の検出を中止するように制御することを特徴とする。
【０００８】
さらに、上記通信端末装置において、前記制御手段は、前記画像データの各ページの最後を示す信号を受信した場合には、前記所定の周波数成分の検出を中止するように制御することを特徴とする。
【発明の効果】
【０００９】
従って、本発明に係る通信端末装置によれば、ファクシミリ受信された画像データ中にエラーラインを検出したとき又はキャリア信号が所定時間以上中断したことを検出したとき、ファクシミリ手順信号の所定の周波数成分を検出することにより、画像データ中に所定の周波数成分を誤検出することを低減し、確実にファクシミリ受信手順を継続するので、ファクシミリ受信時の信頼性を向上させることができる。
【発明を実施するための最良の形態】
【００１０】
以下、本発明に係る実施形態について図面を参照して説明する。なお、以下の各実施形態において、同様の構成要素については同一の符号を付している。
【００１１】
図１は、本発明に係る実施形態であるファクシミリ装置２０の構成を示すブロック図である。本実施形態に係るファクシミリ装置２０は、相手先のファクシミリ装置から画像データをファクシミリ受信するＮＣＵ１１及びファックスモデム１０を備え、主制御部１は、ファクシミリ受信された画像データ中にエラーラインを検出したとき又はキャリア信号が所定時間以上中断したことを検出したとき、ＦＳＫ信号の周波数成分を検出したか否かを判断し、ＦＳＫ信号の周波数成分を検出した場合に、画像データのポストメッセージを受信するように制御することを特徴とする。ここで、主制御部１は、ファクシミリ受信された画像データ中にエラーラインを検出せずかつキャリア信号が所定時間以上中断したことを検出しないとき、ＦＳＫ信号の周波数成分の検出を中止するように制御する。また、主制御部１は、画像データの各ページの最後を示すＲＴＣ信号を受信した場合には、ＦＳＫ信号の周波数成分の検出を中止するように制御する。
【００１２】
図１において、ファクシミリ装置２０は、主制御部（ＣＰＵ）１と、画像読取部２と、画像記録部３と、表示部４と、操作部５と、ＲＯＭ６と、ＲＡＭ７と、画像メモリ８と、ファックスモデム１０と、ＮＣＵ（ネットワーク制御回路：Network Control Unit）１１とを備えて構成され、上記各構成要素１乃至１１は、バス１３を介して互いに接続されている。ＮＣＵ１１は、公衆電話回線Ｌを介して相手先のファクシミリ装置と接続されている。
【００１３】
ファクシミリ装置２０は、従来のＧ３方式等のファクシミリ通信機能を備える。主制御部１は具体的にはＣＰＵ（中央処理装置：Central Processing Unit）で構成されており、バス１３を介して以下のハードウェア各部と接続されてそれらを制御するほか、後述する種々のソフトウェアの機能を実行する。
【００１４】
画像読取部２は、ＣＣＤ等を利用したスキャナで原稿を読み取り、白黒２値に変更したドット画像データを出力する。画像記録部３は電子写真方式等のプリンタ装置であり、他のファクシミリ装置からファクシミリ通信により受信した画像データをハードコピーとしてプリントアウトして記録する。表示部４は、液晶表示装置（ＬＣＤ）又はＣＲＴディスプレイ等の表示装置であり、当該ファクシミリ装置２０の動作状態の表示や、送信すべき原稿の画像データ及び受信した画像データの表示を行う。
【００１５】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１６】
ＲＯＭ６は、当該ファクシミリ装置２０の動作に必要であって主制御部１によって実行される種々のソフトウェアのプログラムを予め格納し、ここで、当該プログラムは、少なくとも後述する図２及び図３のファクシミリ受信処理のプログラムを含む。ＲＡＭ７（Random Access Memory）は、ＳＲＡＭ（Static Random Access Memory）又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ（Dynamic Random Access Memory）等で構成され、送信すべき画像データ又は受信した画像データを記憶する。なお、ＲＡＭ７及び画像メモリ８をハードディスクメモリで構成してもよい。
【００１７】
ファックスモデム１０は、ＮＣＵ１１を介して公衆電話回線Ｌに接続され、通常のファクシミリ通信用のファックスモデムの機能を有するモデムであり、ＦＳＫ信号（周波数シフトキーイング信号）として受信される発信電話番号情報のデータを復調して主制御部１に出力する。ＮＣＵ１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ＩＳＤＮ回線等のベースバンド伝送方式のデジタル回線に接続するようにしてもよい。
【００１８】
以上のように構成された本実施形態のファクシミリ装置２０は、通常のＧ３方式等のファクシミリ通信機能を有している。ファクシミリ通信機能において、画像読取部２により読み取られたドット画像データはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアにより画像データに複合化されて画像記録部３からハードコピーとして出力される。なお、画像メモリ８は画像データを必要に応じて記憶し、また逆に記憶している画像データを必要に応じて出力する。
【００１９】
さらに、高速でファクシミリ通信などのデータ通信が可能なＶ．３４モードの通信手順について説明する。ファクシミリ装置などの通信端末装置でデータ通信を行う場合には半二重方式の例えばＩＴＵ−Ｔ（国際電気通信連合−電気通信標準化部門）の勧告Ｖ．１７モードの通信手順等に準拠した変復調装置を使用し、Ｇ３規格のファクシミリ通信手順でもある同勧告Ｔ．３０に規定されている手順に従って行う。また、同勧告Ｖ．３４に準拠した最大伝送速度が３３．６ｋｂｐｓの超高速の通信手順（以下、Ｖ．３４モードの通信手順という。）も実用化されており、このＶ．３４モードの通信手順では通信の開始時点及び通信実行中において、受信側でその時点の回線状況、具体的にはＳ／Ｎ（信号対雑音電力比）、帯域幅に応じて通信速度を指定することが可能であり、送信側ではそのようにして受信側で指定された通信速度で送信を行うように通信速度を変更する。なお、Ｖ．３４モードの通信手順でデータ通信を行う場合には同じく同勧告Ｖ．８通信手順で前手順を行って実際の通信速度を決定する。
【００２０】
図２及び図３は、図１のファクシミリ装置２０の主制御部１によって実行されるファクシミリ受信処理を示すフローチャートである。
【００２１】
図２のステップＳ１において、着信したか否かが判断され、ＹＥＳのときはステップＳ２に進む一方、ＮＯのときはステップＳ１に戻って処理を繰り返す。ステップＳ２において、ＣＮＧ信号（発呼トーン）を受信し、ＣＥＤ信号（被呼局確認信号）を送出する。ステップＳ３において、ＮＳＦ信号（非標準装置信号）及びＤＩＳ信号（デジタル識別信号）を送出し、ＴＳＩ信号（送信局識別信号）及びＤＣＳ信号（デジタル命令信号）を受信する。ステップＳ４において、トレーニング処理を行う。ステップＳ５において、ＣＦＲ信号（受信準備確認信号）を送出する。ステップＳ６において、相手先のファクシミリ装置から画像データを受信開始する。ステップＳ６Ａにおいて、ＦＳＫフラグを０に初期化する。このとき、低速モデムモードから高速モデムモードに切り替えられる。ステップＳ７において、画像データを受信したか否かが判断され、ＹＥＳのときは図３のステップＳ８に進む一方、ＮＯのときはステップＳ１５に進む。
【００２２】
図３のステップＳ８において、受信した画像データに対してデコード処理が行われる。ステップＳ９において、受信した画像データ中に、画像データの終了を示す所定のコードであるＲＴＣ信号を検出したか否かが判断され、ＹＥＳのときは図２のステップＳ１９に進む一方、ＮＯのときはステップＳ１０に進む。ステップＳ１０において、キャリア断であるか否かが判断され、ＹＥＳのときはステップＳ１１に進む一方、ＮＯのときはステップＳ１２に進む。具体的には、例えば、一定時間（例えば６秒間）キャリア信号が断したときに、キャリア断であると判断する。ステップＳ１１において、デコードエラーと判断する。ステップＳ１２において、ステップＳ８のデコード処理においてエラーラインを検出したか、あるいは、ステップＳ１１でキャリア断によりデコードエラーと判断したか否かが判断され、ＹＥＳのときはステップＳ１３に進む一方、ＮＯのときはステップＳ１４に進む。ステップＳ１３において、ＦＳＫフラグを１に設定した後、図２のステップＳ１５に進む。ステップＳ１４において、ＦＳＫフラグを０に設定した後、図２のステップＳ１５に進む。
【００２３】
図２のステップＳ１５において、画像データの受信を終了したか否かが判断され、ＹＥＳのときはステップＳ１９に進む一方、ＮＯのときはステップＳ１６に進む。ステップＳ１６において、ＦＳＫフラグが１であるか否かが判断され、ＹＥＳのときはステップＳ１７に進む一方、ＮＯのときはステップＳ６Ａに戻って処理を繰り返す。ステップＳ１７において、ＦＳＫ信号の周波数成分を検出する。ＦＳＫ信号の周波数成分は、例えば、１６５０Ｈｚの周波数成分とする。このとき、高速モデムモードから低速モデムモードに切り替えられる。ステップＳ１８において、ＦＳＫ信号の周波数成分を検出したか否かが判断され、ＹＥＳのときはステップＳ１９に進む一方、ＮＯのときはステップＳ６Ａに戻って処理を繰り返す。具体的には、上記１６５０Ｈｚの周波数成分を８００ｍｓｅｃの間連続して検出したとき、ＦＳＫ信号の周波数成分を検出したと判断する。ステップＳ１９において、例えばＥＯＰ信号（手順終了信号）、ＥＯＭ信号（メッセージ終了信号）、ＭＰＳ信号（マルチページ信号）等のポストメッセージ信号を受信する。ステップＳ２０において、ポストメッセージ信号に対する応答信号（例えばＭＣＦ信号（メッセージ確認信号））を送信する。ステップＳ２１において、上記ポストメッセージ信号中のデータにより次ページがあるか否かが判断され、ＹＥＳのときはステップＳ６Ａに戻って処理を繰り返す一方、ＮＯのときはステップＳ２２に進む。ステップＳ２２において、正常終了時には相手先のファクシミリ装置からＤＣＮ信号（回線切断命令信号）を受信し、エラー終了時には相手先のファクシミリ装置にＤＣＮ信号を送信することにより回線を開放し、その後、ステップＳ１に戻って処理を繰り返す。
【００２４】
以上説明したように、本実施形態に係るファクシミリ装置２０によれば、相手先のファクシミリ装置から画像データをファクシミリ受信するＮＣＵ１１及びファックスモデム１０を備え、主制御部１は、ファクシミリ受信された画像データ中にエラーラインを検出したとき又はキャリア信号が所定時間以上中断したことを検出したとき、ＦＳＫ信号の周波数成分を検出したか否かを判断し、ＦＳＫ信号の周波数成分を検出した場合に、画像データのポストメッセージを受信するように制御する。ここで、上記ファクシミリ装置２０において、主制御部１は、ファクシミリ受信された画像データ中にエラーラインを検出せずかつキャリア信号が所定時間以上中断したことを検出しないとき、ＦＳＫ信号の周波数成分の検出を中止するように制御する。また、上記ファクシミリ装置２０において、主制御部１は、画像データの各ページの最後を示すＲＴＣ信号を受信した場合には、ＦＳＫ信号の周波数成分の検出を中止するように制御する。従って、ファクシミリ受信された画像データ中にエラーラインを検出したとき又はキャリア信号が所定時間以上中断したことを検出したときに、ＦＳＫ信号の周波数成分を検出することにより、画像データ中に所定の周波数成分を誤検出することを低減し、確実にファクシミリ受信手順を継続するので、ファクシミリ受信時の信頼性を向上させることができる。
【産業上の利用可能性】
【００２５】
以上詳述したように、本発明に係る通信端末装置によれば、ファクシミリ受信された画像データ中にエラーラインを検出したとき又はキャリア信号が所定時間以上中断したことを検出したとき、ＦＳＫ信号の周波数成分を検出することにより、画像データ中に所定の周波数成分を誤検出することを低減し、確実にファクシミリ受信手順を継続するので、ファクシミリ受信時の信頼性を向上させることができる。
【図面の簡単な説明】
【００２６】
【図１】本発明に係る実施形態であるファクシミリ装置２０の構成を示すブロック図である。
【図２】図１のファクシミリ装置２０の主制御部１によって実行されるファクシミリ受信処理を示すフローチャートである。
【図３】図１のファクシミリ装置２０の主制御部１によって実行されるファクシミリ受信処理を示すフローチャートである。
【符号の説明】
【００２７】
１…主制御部（ＣＰＵ）、
２…画像読取部、
３…画像記録部、
４…表示部、
５…操作部、
６…ＲＯＭ、
７…ＲＡＭ、
８…画像メモリ、
１０…ファックスモデム、
１１…ＮＣＵ、
１３…バス、
２０…ファクシミリ装置。
【図１】
2007300336.tif 000003
【図２】
2007300336.tif 000004
【図３】
2007300336.tif 000005